(57)【要約】【課題】竪樋が気温の変化等により上下に伸縮した場合でも、竪樋を建物の外壁に取り付けた状態を維持することができる取付具を提案する。【解決手段】取付具１は、上下に並べて配置される竪樋３同士を連結する竪樋継手２と、建物の外壁５に固着され、竪樋継手２が取り付けられる固着体４と、を有する。竪樋継手２は、連結した竪樋３の長手方向に沿って延設され先端部が自由端となる差込片２４を有する。固着体４は、差込片２４を上下方向に差込自在とする被差込孔１８と、外壁５に固着される固着部１３と、被差込孔１８に設けられた係止部１９とを有する。差込片２４は、被差込孔１８に差し込まれた状態で係止部１９を係止する被係止部２７を上下方向に複数有する。【選択図】図１
2012197638.tif 000002
【特許請求の範囲】
【請求項１】
上下に並べて配置される竪樋同士を連結する竪樋継手と、建物の外壁に固着され、前記竪樋継手が取り付けられる固着体と、を有する取付具において、
前記竪樋継手は、連結した前記竪樋の長手方向に沿って延設され先端部が自由端となる差込片を有し、
前記固着体は、前記差込片を上下方向に差込自在とする被差込孔と、前記外壁に固着される固着部と、前記被差込孔に設けられた係止部とを有し、
前記差込片は、前記被差込孔に差し込まれた状態で前記係止部を係止する被係止部を上下方向に複数有することを特徴とする取付具。
【請求項２】
前記差込片は、前記先端部に抜け止め凸部を備えることを特徴とする請求項１に記載の取付具。
【発明の詳細な説明】
【技術分野】
【０００１】
本発明は竪樋を建物の外壁に取り付けるために用いられる取付具に関する。
【背景技術】
【０００２】
従来から、図４に示すような、竪樋３を建物の外壁に取り付けるために用いられる取付具６が提案されている（特許文献１参照）。
【０００３】
この取付具６は、上下に並べて配置される竪樋３の端部間を連結する竪樋継手７と、建物の外壁に取り付けられる固着体８とを有する。固着体８には、屋外側（前側）に嵌合連結部８０が設けてあり、竪樋継手７には、建物側（後側）に取り付け用突起部７０が設けてある。
【０００４】
この嵌合連結部８０に取り付け用突起部７０が嵌合されることで、竪樋３を連結した竪樋継手７が、外壁に取り付けられた固着体８に支持される。
【先行技術文献】
【特許文献】
【０００５】
【特許文献１】特開２０００―２４０２３７号公報
【発明の概要】
【発明が解決しようとする課題】
【０００６】
しかし、上述した取付具６では、竪樋継手７が固着体８によって左右両側から挟みこまれて支持されているだけであるため、竪樋３が気温の変化等により伸縮して竪樋継手７の上下位置が変わった場合に、竪樋継手７が固着体８から外れてしまうおそれがある。このように、竪樋継手７が固着体８から外れてしまっては、竪樋３を建物の外壁に取り付けた状態を維持することができない。
【０００７】
そこで、上記事情を鑑みて、本発明は、竪樋が気温の変化等により上下に伸縮した場合でも、竪樋を建物の外壁に取り付けた状態を維持することができる取付具を提案することを課題とする。
【課題を解決するための手段】
【０００８】
上記課題を解決するための本発明の取付具は、上下に並べて配置される竪樋同士を連結する竪樋継手と、建物の外壁に固着され、前記竪樋継手が取り付けられる固着体と、を有する取付具において、前記竪樋継手は、連結した前記竪樋の長手方向に沿って延設され先端部が自由端となる差込片を有し、前記固着体は、前記差込片を上下方向に差込自在とする被差込孔と、前記外壁に固着される固着部と、前記被差込孔に設けられた係止部とを有し、前記差込片は、前記被差込孔に差し込まれた状態で前記係止部を係止する被係止部を上下方向に複数有することを特徴とする。
【０００９】
また、前記差込片は、前記先端部に抜け止め凸部を備えることが好ましい。
【発明の効果】
【００１０】
本発明の取付具は、竪樋が気温の変化等により上下に伸縮した場合でも、竪樋を建物の外壁に取り付けた状態を維持することができる。
【図面の簡単な説明】
【００１１】
【図１】実施形態の取付具を用いて竪樋を施工した状態を示し、（ａ）は正面図であり、（ｂ）は一部破断平面図である。
【図２】同上の取付具の竪樋継手を示し、（ａ）は正面図であり、（ｂ）は側面図であり、（ｃ）は平面図であり、（ｄ）は（ａ）のＡ部拡大正面図ある。
【図３】同上の取付具の固着体を示し、（ａ）は正面図であり、（ｂ）は側面図であり、（ｃ）は平面図であり、（ｄ）は（ｃ）のＢ部拡大平面図ある。
【図４】従来の取付具と竪樋とを示す斜視図である。
【発明を実施するための形態】
【００１２】
以下、本発明を添付図面に示す実施形態に基づいて説明する。本実施形態の取付具１は、図１に示されるように、上下に並べて配置される竪樋３同士を連結し、竪樋３を建物の外壁５に対して取り付けるものである。なお、以下、取付具１の説明で用いる方向は、図１に示す取付具１を用いて竪樋３を外壁５に取り付けた状態を基準にするものであり、取付具１から見て建物側を後方、屋外側を前方とし、図１の図面に直交する方向を左右方向として説明する。
【００１３】
取付具１は、外壁５に固着される固着体４と、竪樋３同士を連結する竪樋継手２の二部材で構成されている。
【００１４】
まず、竪樋継手２について説明する。竪樋継手２は、図２（ａ）〜（ｃ）に示すように、竪樋３の断面形状に合致する円筒状の連結筒部２１を有している。連結筒部２１の上下方向の中間部外周面には、周方向の全長に亘る突条２２が形成されている。連結筒部２１の上端面は、突条２２と平行であり、連結筒部２１の下端面は、後方ほど上方に位置するように傾斜している。
【００１５】
竪樋継手２の突条２２の連結筒部２１の後面側に位置する後端部には、接続片２３が後向きに突出している。この接続片２３の後端部には、連結筒部２１の背面に沿う差込片２４が下向きに突出している。この差込片２４の前面には、図２（ａ）に示すように、前方に突出する被係止部群２５が形成されている。被係止部群２５は、図２（ｄ）に示すように、差込片２４の前面に上下方向に多数並べて形成した正面視三角形状の凸部２６からなり、隣接する凸部２６の間に形成された正面視三角形状の凹部からなる被係止部２７を上下方向に複数有している。ここで、差込片２４の後面から凸部２６の前端までの前後幅をＬ１とする。
【００１６】
差込片２４の自由端となる下端部（先端部）には、前方に突出する抜け止め凸部２８が形成されている。抜け止め凸部２８は、正面視略直角三角形状であり、上端部が被係止部群２５の凸部２６よりも前方に突出しており、下方ほど前後幅が短くなるように形成されている。ここで、差込片２４の後面から抜け止め凸部２８の前端までの前後幅をＬ２とすると、Ｌ２＞Ｌ１である。
【００１７】
竪樋継手２で竪樋３を連結するには、連結筒部２１の突条２２よりも上方の部分を上側の竪樋３の下端部内側に嵌め込み、連結筒部２１の突条２２より下方の部分を下側の竪樋３の上端部内側に嵌め込む。これによって、上下の竪樋３が竪樋継手２によって連結される。なお、このとき突条２２の外周面は、連結された竪樋３の外周面と略面一となる。
【００１８】
次に、固着体４について説明する。固着体４は、図３（ａ），（ｃ）に示すように、外壁５に固定される固着部１３と、固着部１３の上下方向の中間部から前方に突出する突出部１４とを有している。
【００１９】
固着部１３は、図３（ｂ）に示すように、外壁５の屋外側の面に沿うよう縦長板状に形成されている。固着部１３の突出部１４より上方に突出した部分と突出部１４より下方に突出した部分の夫々には、挿入孔１２が形成されている。各挿入孔１２には、固着部１３を外壁５に固着するための釘やビス等の固着具２０（図１（ａ）参照）を挿通できるようになっている。
【００２０】
突出部１４は、上方から視て矩形環状に形成されており（図３（ｃ）参照）、上下方向の長さは、差込片２４の上下長さよりも短く形成されている（図１（ａ）参照）。なお、本実施形態では、突出部１４の上下方向の長さは、差込片２４の上下長さの半分程度となっている。
【００２１】
突出部１４の前端部には、竪樋継手２の差込片２４を着脱自在に取り付け可能な取付部１５が形成されている（図３（ｄ）参照）。取付部１５は、突出部１４の前端面と、突出部１４の前端面の左右両端部夫々から前方に突出した側板部１６と、両側板部１６の前端部に左右両端部が結合する前板部１７とで囲まれる平面視矩形状の被差込孔１８からなる。ここで、被差込孔１８の前後幅をＬ３とする。被差込孔１８の内面には、差込片２４の被係止部２７に着脱自在に係止される係止部１９が形成されている。係止部１９は、図３（ｄ）に示すように、前板部１７の後面の左右方向の中央部から後方に向けて突出する平面視半円状の突起で構成されている。ここで、被差込孔１８の係止部１９の後端から突出部１４の前端面までの前後幅をＬ４とすると、Ｌ４＜Ｌ３である。
【００２２】
被差込孔１８は、竪樋継手２の差込片２４が差し込み自在で、差込片２４が差し込まれた際、差込片２４の被係止部２７が被差込孔１８の係止部１９に係止されるよう形成されている。そして、差込片２４は、被差込孔１８に差し込んだ状態（図１（ａ）参照）で、抜け止め凸部２８によって、被差込孔１８から抜けにくくなっている。
【００２３】
詳しくは、本実施形態では、被差込孔１８の左右幅は、竪樋継手２の差込片２４の左右幅と略同じに設定されている（図２（ｂ）参照）。そして、図２（ａ）と図３（ｄ）に示す差込片２４と被差込孔１８の各前後幅Ｌ１〜Ｌ４に関しては、Ｌ２がＬ３より若干長く、Ｌ１がＬ４より若干長くなるように設定されている。
【００２４】
そのため、本実施形態では、図１（ａ）に示す被差込孔１８に差込片２４が差し込まれた状態で、被差込孔１８の係止部１９が差込片２４の１つの被係止部２７に係止され、竪樋継手２の固着体４に対する上下方向の位置が１つに決まる。なお、この状態では、上下方向に所定の力以上がかからない限りは、竪樋継手２と固着体４との位置関係が保持される。
【００２５】
上述した本実施形態の取付具１を用いた竪樋３の固定は例えば以下のように行われる。まず、固着体４の固着部１３を外壁５に沿わせ、この固着部１３の各挿入孔１２に前方から通した釘やビスなどの固着具２０を外壁５に固着して、固着部１３を外壁５に取り付ける。
【００２６】
次に、固着体４の取付部１５に上下に竪樋３を連結した竪樋継手２を取り付ける。竪樋継手２を取付部１５に取り付けるには、前述のように、竪樋継手２の差込片２４の被係止部群２５のうち１つの被係止部２７を取付部１５の被差込孔１８の係止部１９に係止する。このようにすると、取付部１５の係止部１９が被係止部２７を形成する２つの凸部２６によって上下方向の移動が規制されて僅かな力では上下に移動しないように保持される。なお、このとき、取付部１５と接続片２３との間、あるいは、取付部１５と抜け止め凸部２８との間、あるいはその両方の間には間隙ができる（図１（ａ）参照）。しかして、竪樋継手２及びこの上下に連結された竪樋３が外壁５に固着された固着体４に保持される。
【００２７】
なお、このように固着体４に竪樋継手２を取り付けた状態では、図１（ｂ）に示されるように固着体４が竪樋継手２及びこの上下に連結された竪樋３の後方に配置される。すなわち、竪樋３によって固着体４の前方が覆われるため、外観が良い。
【００２８】
ここで、竪樋継手２の被係止部２７は上下方向に複数並んで形成されている。このため、竪樋継手２に連結された上下の竪樋３が、気温の変化等により伸縮して竪樋継手２の上下位置が変わったとしても、固着体４の係止部１９は、その上下方向に複数並んだ被係止部２７のいずれか１つに係止されるので、竪樋継手２は固着体４に保持された状態を維持することができる。さらに、差込片２４の下端部に設けた抜け止め凸部２８によっても、差込片２４が被差込孔１８から抜けてしまうことを抑制できる。したがって、固着体４から竪樋継手２が外れることを抑制できる。
【００２９】
なお、固着体４の係止部１９は、竪樋３の伸縮によって上下方向に所定の力以上がかからない限り、そのとき係止されている被係止部２７から外れず、固着体４と竪樋継手２の上下方向の位置関係が保持される。そして、仮に、所定の力以上がかかった場合でも、固着体４の係止部１９は、次の被係止部２７に係止され、またそこで、所定の力以上がかかるまで、固着体４と竪樋継手２の上下方向の位置関係が保持される。
【００３０】
加えて、本実施形態では、竪樋３の伸縮による竪樋継手２の上下方向へのずれを許容するための構成を竪樋継手２側に設けることで、固着体４の取付部１５にその許容を持たせるための構成を設けなくてもよいので、取付部１５の上下幅を短くできる。よって、この取付部１５が邪魔になり難いので、固着部１３の外壁５への固定がしやすく、また、固着部１３が形状の制約を受け難い。また、併せて固着部１３の上下幅を短くすることも可能であるので、上下幅のコンパクトな固着体４とすることができる。
【００３１】
以上まとめると、本実施形態の取付具１は、上下に並べて配置される竪樋３同士を連結する竪樋継手２と、建物の外壁５に固着され、竪樋継手２が取り付けられる固着体４と、を有する。竪樋継手２は、連結した竪樋３の長手方向に沿って延設され先端部が自由端となる差込片２４を有する。固着体４は、差込片２４を上下方向に差込自在とする被差込孔１８と、外壁５に固着される固着部１３と、被差込孔１８に設けられた係止部１９とを有する。差込片２４は、被差込孔１８に差し込まれた状態で係止部１９を係止する被係止部２７を上下方向に複数有する。
【００３２】
このように、本実施形態では、上下に並べて配置される竪樋３同士を連結した竪樋継手２の差込片２４を、建物の外壁５に固着した固着体４の被差込孔１８に差し込むことで、差込片２４の被係止部２７を被差込孔１８の係止部１９に係止させることができる。ここで、差込片２４は、被係止部２７を上下方向に複数有しているので、竪樋継手２に連結された竪樋３が気温の変化等により伸縮して、竪樋継手２の上下位置が変わったとしても、固着体４の係止部１９は、その上下方向に複数並んだ被係止部２７のいずれか１つに係止される。よって、本実施形態の取付具１は、竪樋３が気温の変化等により上下に伸縮した場合でも、竪樋３を建物の外壁５に取り付けた状態を維持することができる。
【００３３】
また、本実施形態の取付具１では、差込片２４は、先端部に抜け止め凸部２８を備える。
【００３４】
このような構成とすることで、本実施形態の取付具１は、この抜け止め凸部２８によって、差込片２４が差し込んだ被差込孔１８から抜けてしまうことを抑制できる。よって、本実施形態の取付具１は、竪樋３が気温の変化等により上下に伸縮した場合でも、竪樋３を建物の外壁５に取り付けた状態をさらに維持しやすくなっている。
【００３５】
以上、本発明を添付図面に示す実施形態に基づいて説明したが、本発明は上記の各実施形態に限定されず、本発明の意図する範囲内であれば、適宜の設計変更が可能である。
【符号の説明】
【００３６】
１      取付具
２      竪樋継手
３      竪樋
４      固着体
５      外壁
１８    被差込孔
１９    係止部
２４    差込片
２７    被係止部
２８    抜け止め凸部
【図１】
2012197638.tif 000003
【図２】
2012197638.tif 000004
【図３】
2012197638.tif 000005
【図４】
2012197638.tif 000006